(57)【特許請求の範囲】
【請求項１】
使用目的に応じて各種場所にそれぞれ設置されたインターホン機能を有する端末機器と、各端末機器にデータ伝送路を介して接続された制御装置とを備えたインターホンシステムにおいて、
前記制御装置は、送出データを検知したとき、所定時間ｔ１の間、データ伝送路の電位をセンシングして所定電位かどうかを判定する動作を繰り返し行い、データ伝送路の電位が所定電位にないときが所定回数連続しなかったときは、所定時間ｔ１の経過後に、前記データをデータ伝送路に送出し、データ伝送路の電位が所定回数連続して所定電位になかったときはデータの送出を休止する第１の送出データ制御部を備え、
前記端末機器は、送出データを検知したとき、所定時間ｔ２（所定時間ｔ２＞所定時間ｔ１）の間、データ伝送路の電位をセンシングして所定電位かどうかを判定する動作を繰り返し行い、データ伝送路の電位が所定電位にないときが所定回数連続しなかったときは、所定時間ｔ２の経過後に、前記データをデータ伝送路に送出し、データ伝送路の電位が所定回数連続して所定電位になかったときはデータの送出を休止する第２の送出データ制御部を備えたことを特徴とするインターホンシステム。
【請求項２】
前記制御装置は、前記第１の送出データ制御部におけるデータ送出が休止のとき、前記所定時間ｔ１の経過を１として計数し、かつ、その計数値が第１の所定値に達したかどうかを判定し、計数値が第１の所定値未満のときは前記第１の送出データ制御部に送出データ有りを通知し、前記計数値が第１の所定値に達したときは予め設定された休止時間を測定する第１の送出データ管理部を備え、
前記端末機器は、前記第２の送出データ制御部におけるデータ送出が休止のとき、前記所定時間ｔ２の経過を１として計数し、かつ、その計数値が第１の所定値に達したかどうかを判定し、計数値が第１の所定値未満のときは前記第２の送出データ制御部に送出データ有りを通知し、前記計数値が第１の所定値に達したときは予め設定された休止時間を測定する第３の送出データ管理部を備えたことを特徴とする請求項１記載のインターホンシステム。
【請求項３】
前記制御装置は、前記第１の送出データ管理部における前記休止時間を経過すると、前記第１の所定値の経過を１として計数し、かつ、その計数値が第２の所定値に達したかどうかを判定し、計数値が第２の所定値未満のときは前記第１の送出データ制御部に送出データ有りを通知し、前記計数値が第２の所定値に達したときは前記送出データを破棄する第２の送出データ管理部を備え、
前記端末機器は、前記第３の送出データ管理部における前記休止時間を経過すると、前記第１の所定値の経過を１として計数し、かつ、その計数値が第２の所定値に達したかどうかを判定し、計数値が第２の所定値未満のときは前記第２の送出データ制御部に送出データ有りを通知し、前記計数値が第２の所定値に達したときは前記送出データを破棄する第４の送出データ管理部を備えたことを特徴とする請求項２記載のインターホンシステム。
【発明の詳細な説明】
【０００１】
【発明の属する技術分野】
本発明は、例えば集合住宅のインターホンシステムにおけるデータ伝送路のセンシングに関するものである。
【０００２】
【従来の技術】
従来より知られている集合住宅のインターホンシステムにおいては、管理室の制御装置が、集合玄関に設けられた端末機器（集合玄関機）や、各住戸にそれぞれ設置された端末機器（住戸インターホンや住宅情報盤）をデータ伝送路を介して監視しており、集合玄関の端末機器が訪問先の住戸を呼び出すときや、住戸の端末機器が室内の異常を検知したとき、また、制御装置が入力データに基づいてデータを送出する場合には、それぞれがデータ伝送路をセンシングし、その伝送路が空いているときにデータを送出するようになっている。
【０００３】
【発明が解決しようとする課題】
しかしながら、前述した従来のインターホンシステムでは、データ伝送路のセンシング時間がほぼ同じであるため、複数個所からほぼ同じタイミングでデータが送出された際にはデータ伝送路においてデータの衝突があった。
【０００４】
本発明は、かかる課題を解決するためになされたもので、ほぼ同じタイミングでデータ伝送路をセンシングしてデータを送出しても衝突を防止するインターホンシステムを提供することを目的とする。
【０００５】
【課題を解決するための手段】
本発明に係るインターホンシステムは、使用目的に応じて各種場所にそれぞれ設置されたインターホン機能を有する端末機器と、各端末機器にデータ伝送路を介して接続された制御装置とを備えたインターホンシステムにおいて、制御装置は、送出データを検知したとき、所定時間ｔ１の間、データ伝送路の電位をセンシングして所定電位かどうかを判定する動作を繰り返し行い、データ伝送路の電位が所定電位にないときが所定回数連続しなかったときは、所定時間ｔ１の経過後に、前記データをデータ伝送路に送出し、データ伝送路の電位が所定回数連続して所定電位になかったときはデータの送出を休止する第１の送出データ制御部を備え、端末機器は、送出データを検知したとき、所定時間ｔ２（所定時間ｔ２＞所定時間ｔ１）の間、データ伝送路の電位をセンシングして所定電位かどうかを判定する動作を繰り返し行い、データ伝送路の電位が所定電位にないときが所定回数連続しなかったときは、所定時間ｔ２の経過後に、前記データをデータ伝送路に送出し、データ伝送路の電位が所定回数連続して所定電位になかったときはデータの送出を休止する第２の送出データ制御部を備えたものである。
また、前記のインターホンシステムにおいて、制御装置は、第１の送出データ制御部におけるデータ送出が休止のとき、所定時間ｔ１の経過を１として計数し、かつ、その計数値が第１の所定値に達したかどうかを判定し、計数値が第１の所定値未満のときは第１の送出データ制御部に送出データ有りを通知し、計数値が第１の所定値に達したときは予め設定された休止時間を測定する第１の送出データ管理部を備え、端末機器は、第２の送出データ制御部におけるデータ送出が休止のとき、所定時間ｔ２の経過を１として計数し、かつ、その計数値が第１の所定値に達したかどうかを判定し、計数値が第１の所定値未満のときは第２の送出データ制御部に送出データ有りを通知し、計数値が第１の所定値に達したときは予め設定された休止時間を測定する第３の送出データ管理部を備えたものである。
さらに、前記のインターホンシステムにおいて、制御装置は、第１の送出データ管理部における休止時間を経過すると、第１の所定値の経過を１として計数し、かつ、その計数値が第２の所定値に達したかどうかを判定し、計数値が第２の所定値未満のときは第１の送出データ制御部に送出データ有りを通知し、計数値が第２の所定値に達したときは送出データを破棄する第２の送出データ管理部を備え、端末機器は、第３の送出データ管理部における休止時間を経過すると、第１の所定値の経過を１として計数し、かつ、その計数値が第２の所定値に達したかどうかを判定し、計数値が第２の所定値未満のときは第２の送出データ制御部に送出データ有りを通知し、計数値が第２の所定値に達したときは送出データを破棄する第４の送出データ管理部を備えたものである。
【０００６】
【発明の実施の形態】
図１は本発明の実施形態に係るインターホンシステムの構成を示すブロック図であり、図において、１は例えば集合住宅の管理室に設置された制御装置で、マイクロコンピュータ（以下、「マイコン」という）２と、電流を制御し直流電源24Ｖを出力する電流制御回路３と、マイコン２からのデジタル信号をパルス（データ）に変換し（ハイレベル：24Ｖ、ローレベル：０Ｖ）、後述する端末機器にデータ伝送路２１を介して送信する送信回路４と、データ伝送路２１を介して受信されたパルスをデジタル信号に変換しマイコン２に出力する受信回路５とを備えている。この制御装置１は、管理室と集合玄関にそれぞれ設置された端末機器（図示せず）とデータ伝送路２１及び通話路（図示せぬ）を介して接続されている。
【０００７】
前述した制御装置１のマイコン２は、送出データを検知したとき受信回路５を通じてデータ伝送路２１の電位をセンシングしてハイレベルかどうかを判定し、データ伝送路２１の電位が所定時間ｔ１連続してハイレベルのときはデータをデータ伝送路２１に送出し、データ伝送路２１の電位が例えば３回連続してローレベルのときはデータの送出を休止する送出データ制御部と、データ送出が休止のとき所定時間ｔ１の経過を１として計数し、かつ、その計数値Ｎ2 が例えば50回に達したかどうかを判定し、計数値Ｎ2 が50回未満のときは送出データ制御部に送出データ有りを通知し、計数値Ｎ2 が50回のときは例えば50m Ｓの休止時間を測定する第１の送出データ管理部と、その休止時間を経過すると、前記50回を１として計数し、かつ、その計数値Ｎ3 が例えば３回に達したかどうかを判定し、計数値Ｎ3 が３回未満のときは送出データ制御部に送出データ有りを通知し、計数値Ｎ3 が３回のときは送出データを破棄する第２の送出データ管理部とを備えている。
前述の所定時間ｔ１は、例えば、100 μＳ経過する毎に１として計数し、その計数値Ｎ1 を１０８回繰り返した時間であり、１バイト分の長さを有している。
【０００８】
また、本装置１のマイコン２は、各住戸の端末機器が防犯、コール等の異常を検知したかどうかを監視しており、何れかの端末機器が異常を検知したときは、その端末機器を特定する制御に入り、インターホンの呼出があったときは送信元と受信先をデータ伝送路２１及び通話路を介して接続する制御を行うようになっている。
【０００９】
１１は集合住宅の各住戸に設置された端末機器、例えばインターホン機能と防犯やコール等のセキュリティ機能を有する住宅情報盤で、マイコン１２と、データ伝送路２１を介して受信されたパルスをデジタル信号に変換しマイコン１２に出力する受信回路１３と、マイコン１２からのデジタル信号をパルスに変換し、データ伝送路２１を介して制御装置１に送信する送信回路１４とを備えている。この端末機器１１は、図示せぬインターホンの送受話器を有すると共に、ドアホンや、各部屋に設けられた防犯センサ、水漏れセンサ、風呂やトイレに設けられたコールボタン等と接続されており、集合玄関や管理室の端末機器とは制御装置１を介して接続されている。
【００１０】
前述した端末機器１１のマイコン１２は、送出データを検知したとき受信回路１３を通じてデータ伝送路２１の電位をセンシングしてハイレベルかどうかを判定し、データ伝送路２１の電位が所定時間ｔ２連続してハイレベルのときはデータをデータ伝送路２１に送出し、データ伝送路２１の電位が例えば３回連続してローレベルのときはデータの送出を休止する送出データ制御部と、前記第１及び第２の送出データ管理部とを備えている。
前述の所定時間ｔ２は、例えば、100 μＳ経過する毎に１として計数し、その計数値Ｎ1 を１８４＋乱数の回数繰り返した時間であり、ほぼ２バイト分の長さを有している。
なお、図１では、インターホン側の通話路、制御装置１及び各住戸の端末機器１１の通話系回路の図示を説明の便宜上省略してある。
【００１１】
次に、本実施形態に係る動作を図２及び図３に基づいて説明する。図２及び図３は本発明の実施形態における制御装置の動作を示すフローチャートである。なお、集合玄関機（集合玄関インターホン）、管理機（管理用インターホン）、住宅情報盤（住戸用インターホン）等の端末機器側の動作は、前述したようにデータ送出のタイミング時間が異なるだけであるためこの図を用いて説明する。
【００１２】
制御装置１は、例えば集合玄関の端末機器からの呼び出しに基づいて住戸の端末機器１１にデータを送信する際（Ｓ１）、100 μＳの時間の測定を開始すると共に、受信回路５を通じてデータ伝送路２１の電位をセンシングしてハイレベルかどうかを判定する（Ｓ２，Ｓ３）。データ伝送路２１の電位がハイレベルのときは測定時間が100 μＳに達したかどうかを判定し（Ｓ４）、測定時間が100 μＳに達していないときは再び電位のセンシングに入る（Ｓ３）。この動作を繰り返していくうちに100 μＳ経過したときは、100 μＳの測定が１回目かどうかを判定し（Ｓ５）、１回目のときはＮ1 をゼロに設定して計数値Ｎ1 を算出、即ち「１」を算出して１０８回に達したかどうかを判定する（Ｓ６〜Ｓ８）。２回以上の場合はＮ1 に１を加算して計数値Ｎ1 を算出して（Ｓ７）、１０８回に達したかどうかを判定する（Ｓ８）。計数値Ｎ1 が１０８回未満のときは再び100 μＳの時間の測定を開始して、データ伝送路２１の電位がハイレベルかどうかを判定する（Ｓ２，Ｓ３）。
【００１３】
このＳ２〜Ｓ８までの動作を繰り返していくうちに100 μＳの時間を１０８回繰り返して測定したときは、データの送出が休止になっているかどうかを判定する（Ｓ１１）。このデータ送出の休止は、データ伝送路２１の電位をセンシングした際に例えばスタートビットのローレベルを連続して３回検知したときに設定したもので（Ｓ９，Ｓ１０）、その設定を確認したときはＳ１３に進むが、データ送出の休止の設定がなされてないときは送出可能と判断してデータをデータ伝送路２１に送出する（Ｓ１２）。
【００１４】
一方、データ送出休止の設定を確認したときは、その設定が１回目かどうかを判定する（Ｓ１３）。１回目のときは前記と同様にＮ2 をゼロに設定して計数値Ｎ2 を「１」とし（Ｓ１４，Ｓ１５）、その計数値Ｎ2 が５０回に達したかどうかを判定する（Ｓ１６）。２回以上の場合は、Ｎ2 に１を加算して計数値Ｎ2 を算出し（Ｓ１５）、５０回に達したかどうかを判定する（Ｓ１６）。計数値Ｎ2 が５０回未満のときはＳ１に戻って最初から動作を繰り返すが、計数値Ｎ2 が５０回のときは50m Ｓ休止した後、この休止が１回目かどうかを判定する（Ｓ１７，Ｓ１８）。前述したように１回目のときはＮ3 をゼロに設定して計数値Ｎ3 を「１」とし（Ｓ１９，Ｓ２０）、２回以上の場合は、Ｎ3 に１を加算して計数値Ｎ3 を算出して（Ｓ２０）、３回に達したかどうかを判定する（Ｓ２１）。計数値Ｎ3 が３回未満のときはＳ１に戻るが、計数値Ｎ3 が３回のときは送出不可能と判断してそのデータを破棄し（Ｓ２２）、送出データがあるかどうかを判定する（Ｓ１）。
【００１５】
また、端末機器１１がデータを送出する際、制御装置１とほぼ同じであるが、100 μＳの時間を（１８４＋乱数）回繰り返し（Ｓ２〜Ｓ８）、この間にデータ伝送路２１の電位がハイレベルのとき送信可能としてデータを送出し（Ｓ１１，Ｓ１２）、また、この間にローレベルの電位を連続して３回検知したときはデータ送出を休止する（Ｓ１１）。この場合、１８４＋乱数を１回として５０回繰り返したかどうかを判定し（Ｓ１３〜Ｓ１６）、その休止状態が５０回未満のときはデータ伝送路２１の電位のセンシングに入り（Ｓ１，Ｓ２）、休止状態が５０回繰り返したときは休止時間経過後にその５０回を１回として３回繰り返したかどうかを判定し（Ｓ１７〜Ｓ２１）、３回未満のときは前記と同様にデータ伝送路２１の電位のセンシングに入り（Ｓ１，Ｓ２）、３回繰り返したときはデータを破棄して（Ｓ２２）、再び送出データの有無の判定に入る（Ｓ１）。
【００１６】
以上のように本実施形態では、制御装置１がデータを送出する際、100 μＳの時間を１０８回繰り返す間にデータ伝送路２１をセンシングし（１バイト分）、その間にローレベルの電位を連続して３回検知しなかったときデータ伝送路２１にデータを送出し、端末機器１１がデータを送出する際、100 μＳの時間を（１８４＋乱数）回繰り返す間にデータ伝送路２１をセンシングし（約２バイト分）、その間にローレベルの電位を連続して３回検知しなかったときデータ伝送路２１にデータを送出するようにしたので、制御装置１側のデータ伝送を優先でき、しかも制御装置１側のセンシング時間が端末機器１１よりほぼ１バイト分速いので、データの衝突を防止できるという効果がある。
【００１７】
また、ローレベルの電位を連続して３回検知したときは前記センシングを繰り返し、そのセンシングを５０回繰り返すまでにハイレベルの電位を検知できなかったときは休止時間を挟んでその５０回を３回繰り返すようにしたので、データの送出を確実に行えるという効果がある。
【００１８】
なお、前記実施形態では集合住宅用のインターホンにつき説明したが、セキュリティ機能を有しない一戸建て住戸のインターホン装置に適用できることはいうまでもない。
【００１９】
【発明の効果】
以上のように本発明によれば、制御装置の第１の送出データ制御部がデータを送出する際、所定時間ｔ１の間、データ伝送路の電位をセンシングして所定電位かどうかを判定する動作を繰り返し行い、データ伝送路の電位が所定電位にないときが所定回数連続しなかったときは、所定時間ｔ１の経過後に、前記データをデータ伝送路に送出し、端末機器の第２の送出データ制御部がデータを送出する際、所定時間ｔ２（所定時間ｔ２＞所定時間ｔ１）の間、データ伝送路の電位をセンシングして所定電位かどうかを判定する動作を繰り返し行い、データ伝送路の電位が所定電位にないときが所定回数連続しなかったときは、所定時間ｔ２の経過後に、前記データをデータ伝送路に送出するようにしたので、制御装置側のデータ伝送を優先でき、しかも制御装置側の電位のセンシング時間が端末機器より速いので、データの衝突を防止できるという効果がある。
【００２０】
また、データ伝送路の電位が所定回数連続して所定電位になかったときは再び所定時間ｔ１（又は所定時間ｔ２）の間センシングを繰り返し、その所定時間ｔ１経過を１として第１の所定値を繰り返すまでに所定電位を検知できなかったときは休止時間を挟んでその第１の所定値を１として第２の所定値を繰り返すようにしたので、データの送出を確実に行えるという効果がある。
【図面の簡単な説明】
【図１】本発明の実施形態に係るインターホンシステムの構成を示すブロック図である。
【図２】本発明の実施形態における制御装置の動作を示すフローチャートである。
【図３】図２に続くフローチャートである。
【符号の説明】
１  制御装置
２  マイコン
３  電流制御回路
４  送信回路
５  受信回路
１１  端末機器
１２  マイコン
１３  受信回路
１４  送信回路
２１  データ伝送路
【図１】
0003743853.tif 000002
【図２】
0003743853.tif 000003
【図３】
0003743853.tif 000004